(57)【要約】【課題】荷扱いの際に外部から加わる衝撃を吸収し、緩和して、箱体内部の下側に配置される第１の軒樋集積体における最下位の軒樋および上側に配置される第２の軒樋集積体における最上位の軒樋の角部に割れ、欠け、傷などが生じるのを防ぐ。【解決手段】第１の軒樋集積体２における最下位の軒樋１の底壁１ｃの下方および第２の軒樋集積体３における最上位の軒樋の底壁の上方に、軒樋の長さ方向に沿って所定間隔で少なくとも２箇所に第１の緩衝材５、９が設けられ、箱体４の内部の上端部および下端部に衝撃吸収空間が形成されている。【選択図】図１
2008081140.tif 000002
【特許請求の範囲】
【請求項１】
断面形状が略コ字状である軒樋の複数が、開口部を上方に向けて積み重ねられた第１の軒樋集積体が下側に配置され、同一の軒樋の複数が、開口部を下方に向けて積み重ねられた第２の軒樋集積体が、その最下位の軒樋を第１の軒樋集積体における最上位の軒樋に対向させて第１の軒樋集積体の上に積み重ねられ、箱体に梱包される軒樋の梱包構造において、第１の軒樋集積体における最下位の軒樋の底壁の下方および第２の軒樋集積体における最上位の軒樋の底壁の上方に、軒樋の長さ方向に沿って所定間隔で少なくとも２箇所に第１の緩衝材が設けられ、箱体内部の上端部および下端部に衝撃吸収空間が形成されていることを特徴とする軒樋の梱包構造。
【請求項２】
第１の軒樋集積体における最下位の軒樋および第２の軒樋集積体における最上位の軒樋と第１の緩衝材との間に、軒樋の耳部を除く端部から底壁までの外形形状に略等しい、断面形状が略コ字状である第２の緩衝材が介設され、第２の緩衝材の開放端が軒樋の耳部付近に位置していることを特徴とする請求項１に記載の軒樋の梱包構造。
【請求項３】
第１の軒樋集積体における最上位の軒樋の底壁と第２の軒樋集積体における最下位の軒樋の底壁との間に、断面形状が略矩形状である第３の緩衝材が、軒樋の長さ方向に沿って所定間隔で少なくとも２箇所に介設されていることを特徴とする請求項１または２に記載の軒樋の梱包構造。
【発明の詳細な説明】
【技術分野】
【０００１】
本発明は、軒樋を積み重ねて箱体に梱包する軒樋の梱包構造に関する。
【背景技術】
【０００２】
断面形状が略コ字状である軒樋は、通常、その複数が積み重ねられて箱体に梱包され、出荷されるが、積み下ろし時や運搬時などの荷扱いに際して軒樋に外部から衝撃が加わることがあり、割れ、欠け、傷などが生ずることが少なくない。特に、割れ、欠け、傷などは、最下位および最上位の軒樋の角部に起こりやすく、最下位および最上位の軒樋の角部に加わる衝撃を緩和するような梱包構造が考えられている。
【０００３】
たとえば特許文献１に記載された軒樋の梱包構造では、断面形状が矩形状である筒状体が端部でコ字状に連結された緩衝材が、積み重ねられた軒樋の下部２段および上部２段の底面部における左右両端部に筒状体が配設されるように挿入されている。この緩衝材の筒状体によって、荷扱いの際に外部から加わる衝撃を緩和し、最下位および最上位の軒樋の角部に割れ、欠け、傷などが生じないように保護を図っている。
【特許文献１】特開２００５−１５３８９１号公報
【発明の開示】
【発明が解決しようとする課題】
【０００４】
しかしながら、特許文献１に記載された軒樋の梱包構造では、最下位の軒樋は箱体の底面の上にそのまま配置され、最上位の軒樋は箱体の上面から若干離れ、隙間が形成されるように配置されている。箱体は、通常、ダンボールから形成されているが、荷扱いに際しての外部からの衝撃は箱体の底面では十分に緩和しきれず、最下位の軒樋に衝撃が加わるのが避けられない。また、軒樋が梱包された箱体が２段以上積み重ねられると、箱体上面は上段の箱体の重量を支えきれずに潰れ、隙間が消失し、衝撃が最上位の軒樋に加わってしまう。したがって、最下位および最上位の軒樋の角部における割れ、欠け、傷などは、緩衝材の挿入をもってしても実際には十分に防ぐことはできない。
【０００５】
特に、軒樋の複数が開口部を上方に向けて積み重ねられた第１の軒樋集積体の上に、開口部を下方に向けて複数の軒樋が積み重ねられた第２の軒樋集積体が、その最下位の軒樋を第１の軒樋集積体の最上位の軒樋に対向させて積み重ねられ、箱体に梱包される場合には、梱包された箱体の重量が大きいため、衝撃による割れ、欠け、傷などはより発生しやすい。
【０００６】
本発明は、以上の通りの事情に鑑みてなされたものであり、荷扱いの際に外部から加わる衝撃を吸収し、緩和して、箱体内部の下側に配置される第１の軒樋集積体における最下位の軒樋および上側に配置される第２の軒樋集積体における最上位の軒樋の角部に割れ、欠け、傷などが生じるのを防ぐことのできる軒樋の梱包構造を提供することを課題としている。
【課題を解決するための手段】
【０００７】
本発明の軒樋の梱包構造は、上記の課題を解決するために、以下のことを特徴としている。
【０００８】
第１に、断面形状が略コ字状である軒樋の複数が、開口部を上方に向けて積み重ねられた第１の軒樋集積体が下側に配置され、同一の軒樋の複数が、開口部を下方に向けて積み重ねられた第２の軒樋集積体が、その最下位の軒樋を第１の軒樋集積体における最上位の軒樋に対向させて第１の軒樋集積体の上に積み重ねられ、箱体に梱包される軒樋の梱包構造において、第１の軒樋集積体における最下位の軒樋の底壁の下方および第２の軒樋集積体における最上位の軒樋の底壁の上方に、軒樋の長さ方向に沿って所定間隔で少なくとも２箇所に第１の緩衝材が設けられ、箱体内部の上端部および下端部に衝撃吸収空間が形成されている。
【０００９】
第２に、上記において、第１の軒樋集積体における最下位の軒樋および第２の軒樋集積体における最上位の軒樋と第１の緩衝材との間に、軒樋の耳部を除く端部から底壁までの外形形状に略等しい、断面形状が略コ字状である第２の緩衝材が介設され、第２の緩衝材の開放端が軒樋の耳部付近に位置している。
【００１０】
第３に、上記において、第１の軒樋集積体における最上位の軒樋の底壁と第２の軒樋集積体における最下位の軒樋の底壁との間に、断面形状が略矩形状である第３の緩衝材が、軒樋の長さ方向に沿って所定間隔で少なくとも２箇所に介設されている。
【発明の効果】
【００１１】
上記第１の発明によれば、第１の軒樋集積体における最下位の軒樋の底壁の下方および第２の軒樋集積体における最上位の軒樋の底壁の上方に、軒樋の長さ方向に沿って所定間隔で少なくとも２箇所に第１の緩衝材が設けられ、箱体内部の上端部および下端部に衝撃吸収空間が形成されているため、荷扱いの際に外部から箱体に加わる衝撃を衝撃吸収空間で吸収することができ、しかも第１の緩衝材によって衝撃を緩和することもできるため、第１の軒樋集積体における最下位の軒樋および第２の軒樋集積体における最上位の軒樋の角部に割れ、欠け、傷などが生じるのを防ぐことができる。箱体の厚みを必要以上に厚くしたり、第１の緩衝材の量を必要以上に増したりなどすることなく、割れ、欠け、傷などが生じるのを衝撃吸収空間および第１の緩衝材の変形によって防ぐことができ、梱包廃材の量を低減し、また、梱包コストを抑えることもできる。
【００１２】
上記第２の発明によれば、上記の発明の効果に加え、第１の軒樋集積体における最下位の軒樋および第２の軒樋集積体における最上位の軒樋と第１の緩衝材との間に、軒樋の耳部を除く端部から底壁までの外形形状に略等しい、断面形状が略コ字状である第２の緩衝材が介設され、第２の緩衝材の開放端が軒樋の耳部付近に位置しているので、第２の緩衝材によって、荷扱いの際に外部から加わる衝撃をより緩和することができ、第１の軒樋集積体における最下位の軒樋および第２の軒樋集積体における最上位の軒樋の角部に割れ、欠け、傷などが生じるのをより効果的に防ぐことができる。また、第２の緩衝材によって、第１の軒樋集積体および第２の軒樋集積体において重なり合う耳部を保護することもできる。さらに、第２の緩衝材によって、箱体内部における第１の軒樋集積体と第２の軒樋集積体の配置が安定し、衝撃にともなう移動を防止することもできる。第１の軒樋集積体における最上位の軒樋と第２の軒樋集積体における最下位の軒樋とが擦れ合って傷付くのが防止される。
【００１３】
上記第３の発明によれば、上記の発明の効果に加え、第１の軒樋集積体における最上位の軒樋の底壁と第２の軒樋集積体における最下位の軒樋の底壁との間に、断面形状が略矩形状である第３の緩衝材が、軒樋の長さ方向に沿って所定間隔で少なくとも２箇所に介設されているため、荷扱いの際に外部から加わる衝撃をより一層緩和することができ、しかも箱体内部において上側に配置される第２の軒樋集積体が第３の緩衝材によって支持されるため、軒樋の変形も防止することができる。
【発明を実施するための最良の形態】
【００１４】
図１は、本発明の軒樋の梱包構造の一実施形態を示した断面図であり、図２は、図１に示した軒樋の梱包構造における箱体内部を示した要部分解斜視図である。
【００１５】
図１および図２に示した軒樋の梱包構造では、断面形状が略コ字状である軒樋１の複数が、開口部１ａを上方に向けて積み重ねられ、第１の軒樋集積体２が形成されている。また、同一の軒樋１の複数が、開口部１ａを下方に向けて積み重ねられ、第２の軒樋集積体３が形成されている。
【００１６】
第１の軒樋集積体２は、箱体４の下側に配置されているが、箱体４の内部の底面には、箱体４の横幅に一致する横幅を有し、軒樋１の長さより短い第１の緩衝材５が、軒樋１の長さ方向に沿って少なくとも２箇所に設けられている。第１の緩衝材５は、端面が箱体４の下端部の内側面に面接触しているので、配置が安定している。
【００１７】
第１の緩衝材５の上には、軒樋１の耳部１ｂを除く端部から底壁１ｃまでの外形形状に略等しい、断面形状が略コ字状であり、第１の緩衝材５と長さの等しい第２の緩衝材６が載置されている。第１の軒樋集積体２は、その最下位の軒樋１の耳部１ｂを除く端部から底壁１ｃまでが第２の緩衝材６の内部に挿入されるようにして箱体４の下側に配置されている。第２の緩衝材６の開放端６ａは、第１の軒樋集積体２における最下位の軒樋１の耳部１ｂ付近に位置している。
【００１８】
第２の軒樋集積体３は、その最下位の軒樋１を第１の軒樋集積体２における最上位の軒樋１に対向させて第１の軒樋集積体２の上に積み重ねられている。この積み重ねにおいて、第２の軒樋集積体３の片側の耳部１ｂは、第１の軒樋集積体２の片側の耳部１ｂより開口部１ａ側に配置され、他側の耳部１ｂが、第１の軒樋集積体２の他側の耳部１ｂより外側に配置されている。そして、第２の軒樋集積体３における最下位の軒樋１の片側の耳部１ｂは、第１の軒樋集積体２における最上位の軒樋１の片側の側壁１ｄの内面に接触し、第１の軒樋集積体２における最上位の軒樋１の片側の耳部１ｂが、第２の軒樋集積体３における最下位の軒樋１の片側の側壁１ｄの内面に接触している。
【００１９】
このように積み重ねられる第１の軒樋集積体２と第２の軒樋集積体３との間には、断面形状が略矩形状である第３の緩衝材７が介設されている。第３の緩衝材７は、第１の軒樋集積体２における最上位の軒樋１の底壁１ｃと第２の軒樋集積体３における最下位の軒樋１の底壁１ｃとの間に、軒樋１の長さ方向に沿って所定間隔で少なくとも２箇所に介設されている。すなわち、第３の緩衝材７は、第１の軒樋集積体２における最上位の軒樋１の開口部１ａおよび第２の軒樋集積体３における最下位の軒樋１の開口部１ａに収まる横幅と高さを有し、長さは軒樋１よりも短い。
【００２０】
第２の軒樋集積体３の最上位の軒樋１の上には、第１の軒樋集積体２の下側に配置された第２の緩衝材６と同一の第２の緩衝材８が、上下対称位置に配設されている。第２の緩衝材８は第２の軒樋集積体３に被せられ、開放端８ａが、第２の軒樋集積体３における最上位の軒樋１の耳部１ｂ付近に位置している。
【００２１】
第２の緩衝材８の上には、箱体４の内部の底面に設けられた第１の緩衝材５と同一の第１の緩衝材９が配置され、箱体４の内部の上面に接している。第１の緩衝材９は、第２の緩衝材８の上に載置されても、箱体４の内部の上面との間に多少の隙間が形成されるように配置されてもよい。第１の緩衝材９は、第１の緩衝材５と同様に箱体４の横幅と同じ横幅を有しており、端面が箱体４の上端部の内側面に面接触し、配置が安定している。
【００２２】
このように、図１および図２に示した軒樋の梱包構造においては、第１の軒樋集積体２における最下位の軒樋１の底壁１ｃの下方および第２の軒樋集積体３における最上位の軒樋１の底壁１ｃの上方に、軒樋１の長さ方向に沿って所定間隔で少なくとも２箇所に第１の緩衝材５、９が設けられているので、第１の緩衝材５、９のそれぞれの間に衝撃吸収空間１０が形成されている。すなわち、衝撃吸収空間１０は、箱体４の内部の上端部および下端部に形成されている。このため、積み下ろし時や運搬時などの荷扱いに際して外部から箱体４に衝撃が加わることがあっても、衝撃吸収空間１０で衝撃を吸収することができ、しかも第１の緩衝材５、９によって衝撃を緩和することもできるので、第１の軒樋集積体２における最下位の軒樋１および第２の軒樋集積体３における最上位の軒樋１の角部に割れ、欠け、傷などが生じるのを防ぐことができる。積み重ねる軒樋１の間に緩衝材を挿入する手間がかからずに、外部から加わる衝撃を吸収し、緩和することができる。また、箱体４の厚みを必要以上に厚くしたり、第１の緩衝材５、９の量を必要以上に増したりなどすることなく、割れ、欠け、傷などが生じるのを衝撃吸収空間１０および第１の緩衝材５、９の変形によって防ぐことができ、梱包廃材の量を低減し、また、梱包コストを抑えることもできる。さらに、第１の緩衝材５、９は、端面が箱体４の内側面に面接触して安定に配置されているので、衝撃吸収空間１０を確実に形成することができ、衝撃吸収空間１０での衝撃の吸収が十分に行われ、しかも衝撃の緩和も十分に行われる。
【００２３】
また、図１および図２に示した軒樋の梱包構造では、第２の緩衝材６、８によって、荷扱いの際に外部から加わる衝撃をより緩和することができ、第１の軒樋集積体２における最下位の軒樋１および第２の軒樋集積体３における最上位の軒樋１の角部に割れ、欠け、傷などが生じるのをより効果的に防ぐことができる。また、第２の緩衝材６、８によって、第１の軒樋集積体２および第２の軒樋集積体３において重なり合う耳部１ｂを保護することもできる。開放端６ａが第１の軒樋集積体２における最下位の軒樋１の耳部１ｂに、また、開放端８ａが第２の軒樋集積体３の最上位の軒樋１の耳部１ｂに接するように第２の緩衝材６、８を設ければ、耳部１ｂの保護効果はより高まる。さらに、第２の緩衝材６、８によって、箱体４の内部における第１の軒樋集積体２と第２の軒樋集積体３の配置が安定し、衝撃にともなう移動を防止することもできる。第１の軒樋集積体２における最上位の軒樋１と第２の軒樋集積体３における最下位の軒樋１とが擦れ合って傷付くのが防止される。この効果は、第２の緩衝材６の内周面を第１の軒樋集積体２における最下位の軒樋１の耳部１ｂを除く端部から底壁１ｃまでの外周面に面接触させ、また、第２の緩衝材８の内周面を第２の軒樋集積体３における最上位の軒樋１の耳部１ｂを除く端部から底壁１ｃまでの外周面に面接触させることによってより高まる。
【００２４】
さらに、図１および図２に示した軒樋の梱包構造では、第３の緩衝材７によって、荷扱いの際に外部から加わる衝撃をより一層緩和することができ、しかも箱体４の内部において上側に配置される第２の軒樋集積体３が第３の緩衝材７によって支持されるため、第１の軒樋集積体２および第２の軒樋集積体３における軒樋１の変形も防止することができる。この効果は、第３の緩衝材７の底面が第１の軒樋集積体２における軒樋１の底壁１ｃの内面に面接触し、第３の緩衝材７の上面が第２の軒樋集積体３における軒樋１の底壁１ｃの内面に面接触することによってより高まる。
【００２５】
なお、本発明の軒樋の梱包構造において、第１の緩衝材５、９、第２の緩衝材６、８および第３の緩衝材７は、いずれも衝撃を緩和することができる限りその材質は特に制限されない。紙製または樹脂製のダンボール、発泡体、ゴム、織布または不織布などが例示される。第１の緩衝材５、９にダンボールを使用する場合には、目地を外部衝撃の加わりやすい上下方向に立ち上げて配置することで、緩衝効果が増大する。一方、箱体４には、これまでと同様に紙製のダンボールを使用することができる。
【図面の簡単な説明】
【００２６】
【図１】本発明の軒樋の梱包構造の一実施形態を示した断面図である。
【図２】図１に示した軒樋の梱包構造における箱体内部を示した要部分解斜視図である。
【符号の説明】
【００２７】
１  軒樋
１ａ  開口部
１ｂ  耳部
１ｃ  底壁
２  第１の軒樋集積体
３  第２の軒樋集積体
４  箱体
５  第１の緩衝材
６  第２の緩衝材
６ａ  開放端
７  第３の緩衝材
８  第２の緩衝材
８ａ  開放端
９  第１の緩衝材
１０  衝撃吸収空間
【図１】
2008081140.tif 000003
【図２】
2008081140.tif 000004